(57)【要約】【課題】遊技盤面から離間しており光源の確保が難しい場合でも、光源を遊技者から視認されることなく全体を意匠として発光させることの出来る、電飾化粧板を提供することを目的とする。【解決手段】遊技盤面の前方に並行して離間配置され、発光部１０ａ及びその前面に設けた遮光部１０ｂを備える発光板１０と、その後面に立設されたリブ１１と、その発光板上での配置形状に沿って配置されて対向するリブの一端面から光を入光させるＬＥＤ２１を複数有するプリント基板と２０と、を備え、発光板１０は、前面側から後面側に向けて凹陥し、かつ面方向においてリブとの接合部から遠いほど深さ及び面積が漸増する複数の凹部５０を有し、ＬＥＤ２１から出射されてリブ１１内に入光した光は、リブの端面１１ｂと発光板の溝１０ｄとの界面において、発光板１０の面方向に反射及び屈折して発光板１０内に入光し、各凹部５０により発光部１０ａの前面から出射される。【選択図】図９
2012055473.tif 000002
【特許請求の範囲】
【請求項１】
遊技盤面の前方に前記遊技盤面と並行して離間配置され、透明の発光部及び遮光部を備える発光板と、該発光板の後面に立設されたリブと、前記リブの後端面から光を入光させる第１のＬＥＤを搭載したプリント基板と、を備え、
前記リブは、前記遮光部に対応する前記発光板の後面に設けた溝内に前端面を嵌合することにより前記発光板に立設され、
前記発光板の前面には、後面側に向けて凹陥し、かつ面方向において前記リブとの接合部から遠くなるほど深さ及び面積が漸増する複数の凹部を有し、
前記各ＬＥＤから出射されて前記リブ内に入光した光は、前記リブの前端面と前記発光板に設けた溝との界面において、前記発光板の面方向に反射及び屈折して前記発光板内に入光し、前記各凹部の各面により反射して、前記発光部の前面から出射されることを特徴とするイルミネーションユニット。
【請求項２】
前記プリント基板は、前記遊技盤面に設けられた凹所内に設けられ、前記発光板は、前記凹所内に埋設された支持部材により支持されていることを特徴とする請求項１に記載のイルミネーションユニット。
【請求項３】
前記リブとの接合部から遠い位置にある前記凹部の断面形状を段差状としたことを特徴とする請求項１又は２に記載のイルミネーションユニット。
【請求項４】
前記リブの他端部は、前記発光板に設ける溝と同形状にカットすることを特徴とする請求項１乃至３の何れか一項に記載のイルミネーションユニット。
【請求項５】
前記発光板の適所に設けたレンズと、前記レンズを前記プリント基板と光学的に連通するために前記支持部材に設けた筒状部材と、を備え、前記プリント基板に設けた第２のＬＥＤにより前記筒状部材内に光を入射することにより前記レンズを発光させることを特徴とする請求項１乃至４の何れか一項に記載のイルミネーションユニット。
【請求項６】
前記プリント基板は、前記発光板を直接照射する第３のＬＥＤを備えたことを特徴とする請求項１乃至５の何れか一項に記載のイルミネーションユニット。
【請求項７】
請求項１乃至６の何れか一項に記載のイルミネーションユニットを備えたことを特徴とする遊技盤ユニット。
【請求項８】
請求項７に記載の遊技盤ユニットを備えたことを特徴とするパチンコ遊技機。
【発明の詳細な説明】
【技術分野】
【０００１】
本発明は、遊技盤面上に装飾を目的として配置される前飾り板の改良に関する。
【背景技術】
【０００２】
パチンコ遊技機においては、遊技盤の盤面に入賞口、風車、可変表示装置、電飾装置等の 各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた入賞口に遊技球が入賞すると、遊技者が所定数の出球を獲得できるようになっている。このような遊技機では、入賞口を覆うようにその前方に化粧板を配置している（特許文献１）。
かかる化粧板において、化粧板と遊技盤面との間を通過する遊技球を視認させるために化粧板の少なくとも一部を、透明樹脂等からなる透明基材で構成することが従来行われている。
例えば、特許文献２には、遊技盤前面に突設した支柱を介して遊技盤前面との間に遊技球が通過可能な間隔を隔てて離間配置する前飾り板について、表示領域と、表示領域の外側に張出し形成された透明領域と、から構成し、前飾り板と前記遊技盤前面との間を通過する遊技球の少なくとも一部を、透明領域を介して前方から視認可能としたことが記載されている。
【先行技術文献】
【特許文献】
【０００３】
【特許文献１】特開２００６−３２０４８７公報
【特許文献２】特開２００９−１９５３３８公報
【発明の概要】
【発明が解決しようとする課題】
【０００４】
ところで、特許文献２に記載されるような構成において、遊技盤面に設けられた入賞口と、入賞口を覆う前飾り板（化粧板）を含む領域を発光させる装飾をして、演出効果を高めたいという要求がある。
この場合、入賞口の扉自体やその周辺にＬＥＤ等からなる発光素子を設けて、文字等を象った導光体を用いて発光させることは可能であるが、遊技盤面から浮いている（離間した）透明な化粧板自体を発光させるには、困難が伴う。
特に、大入賞口前面に設ける化粧板は、遊技球の視認性を確保するために透明であることが求められるので、前飾り板の後面側にＬＥＤを設けた場合、ＬＥＤや導光体が遊技者から視認されてしまうという問題がある。
そこで、本発明は、化粧板が遊技盤面から離間していることにより光源の確保が難しい（光源の設置位置に制限が伴う）場合でも、光源を遊技者から視認されることなく全体を意匠として発光させることの出来る電飾化粧板を提供することを目的とする。
【課題を解決するための手段】
【０００５】
上記の課題を解決するために、請求項１の発明は、遊技盤面の前方に前記遊技盤面と並行して離間配置され、透明の発光部及び遮光部を備える発光板と、該発光板の後面に立設されたリブと、前記リブの後端面から光を入光させる第１のＬＥＤを搭載したプリント基板と、を備え、前記リブは、前記遮光部に対応する前記発光板の後面に設けた溝内に前端面を嵌合することにより前記発光板に立設され、前記発光板の前面には、後面側に向けて凹陥し、かつ面方向において前記リブとの接合部から遠くなるほど深さ及び面積が漸増する複数の凹部を有し、前記各ＬＥＤから出射されて前記リブ内に入光した光は、前記リブの前端面と前記発光板に設けた溝との界面において、前記発光板の面方向に反射及び屈折して前記発光板内に入光し、前記各凹部の各面により反射して、前記発光部の前面から出射されるイルミネーションユニットを特徴とする。
また、請求項２の発明は、前記プリント基板は、前記遊技盤面に設けられた凹所内に設けられ、前記発光板は、前記凹所内に埋設された支持部材により支持されている請求項１に記載のイルミネーションユニットを特徴とする。
また、請求項３の発明は、前記リブとの接合部から遠い位置にある前記凹部の断面形状を段差状とした請求項１又は２に記載のイルミネーションユニットを特徴とする。
また、請求項４の発明は、前記リブの他端部は、前記発光板に設ける溝と同形状にカットする請求項１乃至３の何れか一項に記載のイルミネーションユニットを特徴とする。
【０００６】
また、請求項５の発明は、前記発光板の適所に設けたレンズと、前記レンズを前記プリント基板と光学的に連通するために前記支持部材に設けた筒状部材と、を備え、前記プリント基板に設けた第２のＬＥＤにより前記筒状部材内に光を入射することにより前記レンズを発光させる請求項１乃至４の何れか一項に記載のイルミネーションユニットを特徴とする。
また、請求項６の発明は、前記プリント基板は、前記発光板を直接照射する第３のＬＥＤを備えた請求項１乃至５の何れか一項に記載のイルミネーションユニットを特徴とする。
また、請求項７の発明は、請求項１乃至６の何れか一項に記載のイルミネーションユニットを備えた遊技盤ユニットを特徴とする。
また、請求項８の発明は、請求項７に記載の遊技盤ユニットを備えたパチンコ遊技機を特徴とする。
【発明の効果】
【０００７】
本発明によれば、発光板の後面から延びるリブの端面に対して光を入光させることのみで、発光板を十分な光量で全面発光させることが出来るので、発光板が遊技盤面から離間した透明の発光板であり光源としてのＬＥＤの配置位置に制限が伴う場合でも、光源を遊技者から視認されることなく全体を意匠として発光可能な電飾化粧板とすることが出来る。
【図面の簡単な説明】
【０００８】
【図１】本発明を適用したパチンコ遊技機の遊技盤面（遊技盤ユニット）を示す正面図。
【図２】図１に示すイルミネーションユニットの構成を示す図。
【図３】図１、２に示すイルミネーションユニット１の正面図。
【図４】イルミネーションユニットの発光板の後面図。
【図５】発光板に設けたリブを説明する図。
【図６】プリント基板の正面図。
【図７】支持部材を示す正面図。
【図８】図３におけるＡ−Ａ断面図。
【図９】図３におけるＢ−Ｂ断面図。
【図１０】図３におけるＣ−Ｃ断面図。
【図１１】発光板内における光の経路を詳細に説明する図。
【発明を実施するための形態】
【０００９】
以下に、図面を参照して、本発明の実施の形態を詳細に説明する。
図１は、本発明を適用したパチンコ遊技機の遊技盤面（遊技盤ユニット）を示す正面図である。
図１において、遊技盤１００における遊技領域１０１の周囲には、外レールＲ１及び内レールＲ２が設けられている。これら外レールＲ１及び内レールＲ２は、遊技盤１００の下方に設けた図示しない発射装置から発射された遊技球を遊技領域１０１の上部に案内したり、アウト口１１８に案内したりする。
遊技領域中央には、画像表示器１１１が配置されている。画像表示器１１１は、例えば、液晶表示装置等の液晶表示パネルにより構成され、特別図柄に応じた装飾図柄、例えば数字図柄、アルファベット図柄、キャラクター図柄等の画像が表示される。また、所謂リーチ状態や特別遊技状態の時は、それぞれの遊技状態であることを示す演出画像等も表示される。
画像表示器１１１の下方中央には、第１始動口１１３が配置されている。第１始動口１１３は、遊技球が入賞したときに、第１特別図柄を変動表示させる権利を発生させる。
また遊技盤１００の中央領域であって、画像表示器１１１の中央直下には、変動入賞装置として、左右一対の開閉爪（可動片）を有する電動式チューリップ（以下、「電チュー」と称する）１１４が配置されている。電チュー１１４は、第２始動口として機能しており、遊技球が入賞したときに、第２特別図柄を変動表示させる権利を発生させる。
【００１０】
電チュー１１４は、普通図柄が所定態様で停止したときに所定時間、開成動作するように構成されている。
また遊技盤１００の右側領域には、普通図柄を作動させるためのゲート１１５が設けられている。
更に遊技盤１００の右側領域であって、第１始動口の右側には、特別遊技状態のときに開成状態になる大入賞装置の大入賞口１１６が配置されている。
大入賞口１１６及びそれを開閉する扉１１９からなるアタッカＡＴの前面には、内部基板にＬＥＤ（Light Emission Diode）を組み込むことで発光可能とした本発明のイルミネーションユニット１である、電飾化粧板が設けられている。
更に、遊技盤１００の遊技領域１０１には、一般入賞口１１７が配置されていると共に、風車や図示しない多数の遊技釘が突設されている。遊技釘は、遊技球の落下速度を遅くすると共に、落下方向を複雑に変化させて遊技進行上の興趣を高めている。
【００１１】
図２は、図１に示すイルミネーションユニットの構成を示す図であり、（ａ）はイルミネーションユニット１を構成する部材を示す図であり、（ｂ）は、図１に示す遊技領域１０１に設けられたイルミネーションユニットを示す側面図である。
図２（ａ）、（ｂ）に示すように、イルミネーションユニット１は、前飾り板（化粧板）としての発光板１０と、発光板１０を発光させるためのＬＥＤを備えたプリント基板２０と、発光板１０を支持する支持部材３０と、を備えている。
発光板１０は、その後面側に設けたリブ１１を介して支持部材３０により支持されている。
後述するが、リブ１１は、支持部材３０を貫通してプリント基板２０に至り、プリント基板２０上のＬＥＤと対向しており、発光板１０は、プリント基板２０上のＬＥＤからの光をリブ１１によって導光することで発光するものである。
なお、図２（ｂ）に示すように、発光板１０と支持部材３０との間に、大入賞口１１６（図１）に入賞しなかった遊技球をアウト口１１８に導くための通路４０ａを上面に備えた通路部材４０を備えることで、イルミネーションユニット１は、大入賞口用の前飾り化粧板として機能するが、この通路部材４０は、リブ１１を通過させる貫通孔を備えているため、リブ１１の配置（リブ１１と支持部材３０の連絡）に支障を来すことはない。
また、図２（ｂ）に示す場合において、支持部材３０及びリブ１１の少なくとも一部、そしてプリント基板２０は、遊技領域１０１に設けた凹所（貫通孔でもよい）１０１ａ内に埋設されている。
【００１２】
図３は、図１、２に示したイルミネーションユニット１の正面図である。
図４は、イルミネーションユニットを構成する発光板の後面図である。
図５は、発光板１０に設けたリブ１１を説明する図であり、（ａ）は発光板１０上に立設されたリブ１１を示し、（ｂ）は発光板１０とリブ１１の接合部の状態を示している。
また、図６は、表面に複数個のＬＥＤを実装したプリント基板２０の正面図である。
【００１３】
図３に示すように、発光板１０は、透光性を有する透明部材からなる発光部１０ａ及び発光部１０ａの前面側に設けた遮光部１０ｂを備えている。
また、図中中央に示す、ダイヤモンドカットを施したレンズ１０ｃを備えている。
レンズ１０ｃは、発光部１０ａの場合とは異なる光路の光により発光されるものであり直接の関係はないが、イルミネーションユニット１を意匠として全面発光させる際、ダイヤモンドカットの発光により、デザイン上強いアクセントとなることは言うまでもない。
また、図４に示すように、リブ１１は、発光板１０後面側の遮光部１０ｂに対応した位置に設けられている。
また、図５（ｂ）に示すように、発光板１０の後面の遮光部１０ｂに対応する位置には溝１０ｄが設けられ、リブ１１は、この溝１０ｄに端面１１ｂ（前端面）を嵌合することにより発光板１０に立設されている。
なお、リブ１１の端面１１ｂは面をカットした形状を有し、溝１０ｄは端面１１ｂと同形状とする。
例えば、端面１１ｂのカット角度及び溝１０ｄの角度は共に４５度とする。
このように構成することで、プリント基板２０と対向する一方の端面１１ａ（前端面）側から入射してくる光を、もう一方の端面１１ｂと溝１０ｄとの界面において反射及び屈折して、発光板１０の面方向両側に導光することが出来る。
【００１４】
次に、ＬＥＤを有するプリント基板２０について詳細に説明する。
図６に示すように、プリント基板２０は、リブ１１の発光板１０上での配置形状に沿って配置されて対向するリブ１１の端面１１ａから光を入光させるＬＥＤ２１（第１のＬＥＤ）を複数個有している。
これら複数のＬＥＤ２１によりリブの端面１１ａに光を入射させ、図５（ｂ）で説明したように発光板１０内に導光させることで、発光板１０を面発光させることが出来る。
ＬＥＤ２１に加え、図３に示すレンズ１０ｃを発光させるためのＬＥＤ２２（第２のＬＥＤ）、さらに、後述するように発光板１０の発光部１０ａに対して直接光を照射するためのＬＥＤ２３（第３のＬＥＤ）と、が設けられている。
【００１５】
図７は、支持部材３０を示す正面図である。
図７に示す支持部材３０は、遊技領域１０１に設けられた大入賞口１１６の下方に、埋設されるかたちで設けられている。これは、図２（ｂ）で説明したとおりである。
支持部材３０には、図４等に示す発光板１０のリブ１１の形状に対応した貫通孔３１が設けられており、発光板１０は、リブ１１が貫通孔３１に嵌合されることで、支持部材３０に対して固定される。
支持部材３０の内側には、上述したプリント基板２０が設けられており、ＬＥＤ２３に対応する箇所には、このＬＥＤ２３から出射される光を透過させて発光領域１０ａに対して光を照射させるための透過領域３３が設けられている。また、透過領域３３のプリント基板２０側には、ＬＥＤ２３側に傾斜して、ＬＥＤ２３からの出射光を前面側に反射するためのリフレクタ３３ａが設けられている（図１０において詳述）。
さらに、支持部材３０には、プリント基板２０に設けられたＬＥＤ２２から出射される光を、図３に示したレンズ１０ｃに向けて導光する（図８において詳述）ための筒状部材３２が配設されている。
【００１６】
図８は、図３におけるＡ−Ａ断面図である。
図８において、ＬＥＤ２１から出射した光Ａは、リブ１１の端面１１ａからリブ１１内に入射する。入射した光は、リブ１１内を進み、図５（ｂ）に示したような端面１１ｂに到達する。
そこで、光は、図５（ｂ）でも説明したように、端面１１ｂと溝１０ｄとの界面において発光板１０の面方向に反射及び屈折をする。ただし、図８で表示する箇所では、発光板１０は、遮光部１０ｂに覆われており、光Ａが前面側に出射されることはない。
また、ＬＥＤ２２から出射された光は、筒状部材３２内に進入する。図７で説明したように、レンズ１０ｃは、筒状部材３２を介して、プリント基板２０と光学的に連通しており、プリント基板２０上のＬＥＤ２２から出射される光Ｂによって発光するものである。
筒状部材３２は、少なくともその内周面が金属蒸着によって反射効率がよく形成されている。ＬＥＤ２２から出射された光は、筒状部材３２内を直進あるいは内周面で反射しながらレンズ１０ｃに到達し、レンズ１０ｃのダイヤモンドカットによって複雑に反射しつつ前面側に出射する。
このようにすることで、少ない数のＬＥＤにより、きらびやかな演出効果を得ることが出来る。
【００１７】
図９は、図３におけるＢ−Ｂ断面図である。
図９におけるＬＥＤ２１から出射される光Ａの経路は、図８の場合とほぼ同様である。
すなわち、ＬＥＤ２１から出射された光Ａは、端面１１ａからリブ１１に入射する。入射した光Ａは、リブ１１の端面１１ｂに到達し、発光板１０に設けた溝１０ｄとの界面において、発光板１０の面方向に反射され、発光板の面方向に設けた凹部５０で反射されて前面側に出射する。
【００１８】
図１０は、図３におけるＣ−Ｃ断面図である。
図１０において、ＬＥＤ２３から出射された光Ｃは、図７にも示した透過領域３３を透過して発光板１０を後面から照射して発光させる。
また、一般的にＬＥＤからの出射光は１２０度程度拡散するが、ＬＥＤ２３から出射される光のうち拡散する成分についてはリフレクタ３３ａで反射して効率よく透過領域３３から発光板１０の背面側に入光させる。
このようにすることで、リブ１０による発光では光量が足らない部分や、演出上強調して発光させたい部分については、ＬＥＤ２３を用いた直接照射により適宜光量を補うことが出来る。
【００１９】
図１１は、発光板１０における光の経路を詳細に説明する図であり、（ａ）は発光板１０の一部を拡大して説明する図、（ｂ）は、（ａ）におけるＤ−Ｄ断面図である。
図１１に示すように、発光板１０は、前面側から後面側に向けて凹陥し、かつ発光板１０の面方向においてリブ１１との接合部から遠いほど深さ及び面積が漸増させて表面積が大きくなるようにし、光を反射をさせやすくした複数の凹部５０を有している。
さらに、リブ１１との接合面から遠い凹部５０は断面形状を段差状（階段状）とする（凹部５０ａ）ことで、さらに表面積が大きくなるようにしている。
図９で説明したような光路を経て発光板１０に進入した光が、各凹部５０の側面や底面により前面側に反射されることにより、発光板１０が全体として面発光する。
端面１１ｂと溝１０ｄの界面から遠ざかるにつれて光は減衰していくものの、上述のように、界面から遠ざかるほど凹部５０の表面積は増加し、深さも深くなっているため、減衰した光を効率よく拾って、前面側に光量を保って出射することが出来る。
以上説明したように、発光板の後面側に立設したリブ１１の端面１１ａから光を入光させることで、発光板１０の全体を光らせることが出来るため、光源の設置条件に制限のある場合でも、少ない数のＬＥＤで発光板を効率よく面発光させることが出来る。
【符号の説明】
【００２０】
１  イルミネーションユニット、１０  発光板、１０ａ  発光部、１０ｂ  遮光部、１０ｃ  レンズ、１０ｄ  溝、１１  リブ、１１ａ  端面、１１ｂ  端面、２０  プリント基板、２１  ＬＥＤ、２２  ＬＥＤ、２３  ＬＥＤ、３０  支持部材、３１  貫通孔、３２  筒状部材、４０  通路部材、４０ａ  通路、５０  凹部、１００  遊技盤、１０１  遊技領域、１０１ａ  凹所、１１１  画像表示器、１１３  始動口、１１４  電チュー、１１５  ゲート、１１６  大入賞口、１１６  入賞口、１１７  一般入賞口、１１８  アウト口、１１９  扉
【図１】
2012055473.tif 000003
【図２】
2012055473.tif 000004
【図３】
2012055473.tif 000005
【図４】
2012055473.tif 000006
【図５】
2012055473.tif 000007
【図６】
2012055473.tif 000008
【図７】
2012055473.tif 000009
【図８】
2012055473.tif 000010
【図９】
2012055473.tif 000011
【図１０】
2012055473.tif 000012
【図１１】
2012055473.tif 000013